(57)【要約】【課題】回転アンテナの動きを容易に認識できる高周波加熱装置の提供を目的とする。【解決手段】加熱室１１に供給する高周波を発生するマグネトロン３１と、前記マグネトロンからの前記高周波を前記加熱室に放射する回転アンテナ３２、３３と、前記加熱室内をスポット照明する照明手段１５と、前記回転アンテナと照明手段を制御する制御手段５０と、前記制御手段にアンテナ動作表示モードを指示する表示設定手段５２とを備え、前記回転アンテナは放射指向性の強い部位を有するとともに、前記制御手段は表示設定手段からの信号に基づき前記照明手段を前記回転アンテナの動きと連動してその照射位置を移動させる構成としてある。これにより、表示設定手段を操作すれば回転アンテナの動きにあわせて照明手段が照射する位置が移動するので、使用者は回転アンテナの動きを容易に認識することができる。【選択図】図３
2008256319.tif 000002
【特許請求の範囲】
【請求項１】
被加熱物を収容する加熱室と、前記加熱室に供給する高周波を発生するマグネトロンと、前記マグネトロンからの前記高周波を前記加熱室に放射する回転アンテナと、前記加熱室内をスポット照明する照明手段と、前記回転アンテナと照明手段を制御する制御手段と、前記制御手段にアンテナ動作表示モードを指示する表示設定手段とを備え、前記回転アンテナは放射指向性の強い部位を有するとともに、前記制御手段は表示設定手段からの信号に基づき前記照明手段を前記回転アンテナの動きと連動してその照射位置を移動させる構成とした高周波加熱調理器。
【請求項２】
表示設定手段はマグネトロンの動作を禁止して回転アンテナを動作させるデモモード設定手段を兼ねる構成とした請求項１記載の高周波加熱調理器。
【請求項３】
照明手段は回転アンテナの放射指向性の強い部位を照射する構成とした請求項１または２記載の高周波加熱調理器。
【請求項４】
制御手段は回転アンテナを回転させる均一加熱モードと回転アンテナの電波指向性の強い部位を所定箇所で停止或は揺動させる局所加熱モードを有し、照明手段は回転アンテナの放射指向性の強い部位を照射する構成とした請求項１または２記載の高周波加熱調理器。
【請求項５】
加熱室は横長形状としてその横長方向に沿って二つの回転アンテナを設け、照明手段は前記各アンテナの電波指向性の強い部位をそれぞれ照射する構成とした請求項１〜３のいずれか１項記載の高周波加熱調理器。
【発明の詳細な説明】
【技術分野】
【０００１】
本発明は、高周波加熱調理器に関するものである。
【背景技術】
【０００２】
従来、この種の高周波加熱調理器は、一つの放射アンテナを備えそのアンテナを回転駆動させるものであったが、加熱の均一性を高める方策として複数の放射アンテナを備えるものが提案されている（例えば、特許文献１参照）。
【０００３】
この高周波加熱調理器は、目的に応じて回転アンテナを回転させたり、所定箇所に向けることによって均一加熱や局所集中加熱が可能となるという特徴を有している。
【特許文献１】特開２００４−２５９６４６号公報
【発明の開示】
【発明が解決しようとする課題】
【０００４】
しかしながら上記特許文献１に開示された高周波加熱調理器は、均一加熱や局所集中加熱が可能であるという特徴を有するものの、その特徴は前記したように回転アンテナの動作によって実現されるものであり、その回転アンテナは加熱室の底部下方に設けてあって外部から視認することができないため、使用者に目で見える形で認識してもらうことが困難であった。そのためこのような回転アンテナの動きを使用者にわかりやすくすること、特に店頭に置ける商品説明時デモモードで見えるようにすることが要望されていた。
【０００５】
本発明は、上記事情にかんがみてなしたもので、回転アンテナの動きを容易に認識できる高周波加熱装置の提供を目的としたものである。
【課題を解決するための手段】
【０００６】
本発明は上記目的を達成するため、被加熱物を収容する加熱室と、前記加熱室に供給する高周波を発生するマグネトロンと、前記マグネトロンからの前記高周波を前記加熱室に放射する回転アンテナと、前記加熱室内をスポット照明する照明手段と、前記回転アンテナと照明手段を制御する制御手段と、前記制御手段にアンテナ動作表示モードを指示する表示設定手段とを備え、前記回転アンテナは放射指向性の強い部位を有するとともに、前記制御手段は表示設定手段からの信号に基づき前記照明手段を前記回転アンテナの動きと連動してその照射位置を移動させる構成としてある。
【０００７】
この構成により、表示設定手段を操作すれば回転アンテナの動きにあわせて照明手段が照射する位置が移動するので、使用者は回転アンテナの動きを容易に認識することができる。
【発明の効果】
【０００８】
本発明は、回転アンテナの動きにあわせて照明手段が照射する位置が移動し、使用者に回転アンテナの動きを容易に認識してもらうことができるので、店頭時の説明で回転アンテナによる特徴を自由分に伝えることができるとともに、実調理中に表示設定手段を操作すれば被加熱物のどの部分を加熱しているのかを使用者が認識することができ、加熱していることを意識できて安心感を向上させることもできる。
【発明を実施するための最良の形態】
【０００９】
第１の発明は、被加熱物を収容する加熱室と、前記加熱室に供給する高周波を発生するマグネトロンと、前記マグネトロンからの前記高周波を前記加熱室に放射する回転アンテ
ナと、前記加熱室内をスポット照明する照明手段と、前記回転アンテナと照明手段を制御する制御手段と、前記制御手段にアンテナ動作表示モードを指示する表示設定手段とを備え、前記回転アンテナは放射指向性の強い部位を有するとともに、前記制御手段は表示設定手段からの信号に基づき前記照明手段を前記回転アンテナの動きと連動してその照射位置を移動させる構成としてあり、回転アンテナの動きにあわせて照明手段が照射する位置が移動し、使用者に回転アンテナの動きを容易に認識してもらうことができるので、店頭時の説明で回転アンテナによる特徴を自由分に伝えることができるとともに、実調理中に表示設定手段を操作すれば被加熱物のどの部分を加熱しているのかを使用者が認識することができ、加熱していることを意識できて安心感を向上させることもできる。
【００１０】
第２の発明は、第１の発明における表示設定手段はマグネトロンの動作を禁止して回転アンテナを動作させるデモモード設定手段を兼ねる構成としてあり、店頭時の回転アンテナによる特徴を十分に伝えることができる。
【００１１】
第３の発明は、第１、第２発明において、照明手段は回転アンテナの放射指向性の強い部位を照射する構成としてあり、使用者が局所加熱していることを認識することができる。
【００１２】
第４の発明は、第１、第２発明において、制御手段は回転アンテナを回転させる均一加熱モードと回転アンテナの電波指向性の強い部位を所定箇所で停止或は揺動させる局所加熱モードを有し、照明手段は回転アンテナの放射指向性の強い部位を照射する構成としてあり、均一、局所集中加熱を使用者が認識することができる。
【００１３】
第５の発明は、第１〜第３発明において、加熱室は横長形状としてその横長方向に沿って二つの回転アンテナを設け、照明手段は前記各アンテナの電波指向性の強い部位をそれぞれ照射する構成としてあり、横長加熱室であっても被加熱物を制度よく均一加熱することができるとともに、均一、局所集中加熱を使用者が認識することができる。
【００１４】
以下、本発明の実施の形態の加熱調理器について、図面を用いて説明する。
【００１５】
図１は本発明の実施形態にかかる高周波加熱調理器の斜視図、図２は同調理器の内部を示す斜視図、図３は同調理器の内部を示す断面図、図４は同照射手段の取付部を示す断面図、図５は同調理器の高周波放射部の一形態を示す斜視図である。
【００１６】
図１〜図５に示すように、高周波加熱調理器１０は、前面が開口し内部に被加熱物Ｍを収納する横長形状の加熱室１１を有する矩形箱状の本体１２と、本体１２の開口を開閉するドア２０を有している。図２および図３に示すように、加熱室１１には、加熱室１１内の空気を撹拌・循環させる循環ファン１３と、加熱室１１内を循環する空気を加熱するコンベクションヒータ１４と、加熱室１１の側壁１１ｃに設けられ加熱室１１内に光を照射するLED等からなる照明手段１５が回動自在に設けられている。加熱室１１の底板１１ａの中央部には凹部１１ｂが設けられており、この凹部１１ｂには高周波（マイクロ波）を放射する高周波放射部３０が設けられている。この凹部１１ｂの上は、通常、板で覆われているので、高周波放射部３０は隠されている。また、底板１１ａにおける凹部１１ｂの奥側には、蒸気発生部４０が設けられている。
【００１７】
高周波発生部３０は、図５に示すように、加熱室１１の底板１１ａの下側の機械室に高周波を発生するマグネトロン３１を有し、このマグネトロン３１からの高周波を前記第１、第２回転アンテナ３２、３３に導く導波管３１aが設けてある。また、凹部１１ｂにマグネトロン３１からの高周波を放射する第１回転アンテナ３２と第２回転アンテナ３３が設けてある。この各アンテナはマグネトロン３１からの高周波を特定の部分に強く放射す
る電波向性の強い部位３２ａ、３３ａが設けてあり、この電波指向性の強い部位を特定部分に向けることによって局所集中加熱ができるようになっている。
【００１８】
また、凹部１１ｂにおける第１回転アンテナ３２および第２回転アンテナ３３の前方（図６において下方）の近傍には、各々高周波反射部材となる反射板３４ａ、３４ｂが設けられている。この反射板３４ａ、３４ｂは回転アンテナ３２、３３から前方へ向かう高周波の一部を加熱室１１内部へ向かうようにしている。
【００１９】
なお、図２に示すように加熱室１１は、加熱室１１の奥部に設けられている仕切板１６によって仕切られて、本体１２の後壁１２ａとの間に空間１７が設けられており、この空間１７に循環ファン１３およびコンベクションヒータ１４が設けられている。仕切板１６には、中央に複数の吸気用通風孔１６ａが設けられており、仕切板１６の周縁部には複数の送風用通風孔１６ｂが設けられている。従って、循環ファン１３によって、吸気用通風孔１６ａから加熱室１１の空気を吸い込んでコンベクションヒータ１４によって加熱し、加熱された空気を送風用通風孔１６ｂから加熱室１１に送り込むことにより、加熱室１１内を加熱できるようになっている。
【００２０】
また、前記照明手段１５は、図２および図４に示すように、加熱室１１の右側の側壁１１ｃの上部に三角柱状の突起１１ｄを加熱室１１内に突出して設け、この突起１１ｄの内部に設けられている。突起１１ｄの下面には窓１１ｅが切り欠かれており、照明手段１５からの光が加熱室１１内に投光されるようになっている。照明手段１５は首振り機構１５ａによって首振り可能となっており、通常は首を振って窓１１ｅから外れているが、後述する表示設定手段を操作したときには窓１１ｅを介して加熱室１１に向くようになっているそしてこの照明手段１５は回転アンテナ３２、３３の数に併せて設けてある。
【００２１】
図３に示す５０は前記マグネトロン３１、回転アンテナ３２、３３及び照明手段１５、循環ファン１３、コンベクションヒータ１４等を制御する制御手段で、ドア２０に設けた設定手段５１の操作に基づいてマグネトロン３１や回転アンテナ３２、３３、循環ファン１３、コンベクションヒータ１４を制御して加熱調理するように構成してある。前記制御手段５０は、各回転アンテナ３２、３３を例えば一定速度で回転駆動する均一加熱モードと、前記各回転アンテナ３２、３３のいずれか若しくは両方の電波指向性の強い部位３２ａ、３３ａを所定箇所に向ける局所集中加熱モードを有する。そして更にこの制御手段５０は設定手段５１に設けたキー等からなる表示設定手段５２を操作することにより、前記回転アンテナ３２、３３の回転制御と連動して前記照明手段１５を駆動するように構成してあり、この連動制御により照明手段１５は各回転アンテナ３２、３３の電波指向性の強い部位３２ａ、３３ａを照射するようになる。
【００２２】
上記構成において、まずこの高周波加熱調理装器は、加熱室１１内の被加熱物温度を検出してその温度差が所定値以内であれば制御手段５０は均一加熱モードで回転アンテナ３２、３３を駆動制御することになる。これによって各回転アンテナ３２、３３は例えば一定速度で回転し加熱室１１内の被加熱物を均一に加熱する。ここで上記回転アンテナ３２、３３の２つの回転アンテナを加熱室１１の左右方向に沿って配列しているので、横長形状の加熱室であっても高周波を加熱室１１全体に均一に放射することができ、被加熱物を精度よく均一加熱することができる。また、加熱室内の被加熱物温度が所定値内或は調理メニューに応じて集中加熱を必要とする部分があれば、制御手段５０は局所集中加熱モードで回転アンテナ３２、３３を制御する。上記回転アンテナ３２、３３は電波指向性の強い部位３２ａ、３３ａ を有しているから、この電波指向性の強い部位３２ａ、３３ａを調理メニューに応じて集中加熱を必要とする部分、或は図示しない赤外線センサによって検出した温度の低い部分に向くよう駆動すれば、これを集中的に局所加熱することができ、コンビニ弁当等の複品を効果的に加熱することができる。
【００２３】
ここで、使用者が表示設定手段５２を操作すれば制御手段５０は前記回転アンテナ３２、３３と連動させて首ふり機構１５aを介して照明手段１５を回動駆動する。これにより照明手段１５は各回転アンテナ３２、３３の電波指向性の強い部位３２ａ、３３ａに相当する加熱室底部を照射することになる。これにより使用者は加熱室底板１１ａの下側で回転アンテナ3２、３３が回転していることを認識することができ、調理中であれば今どの部分を加熱しているのかがわかるので安心感を得ることができる。
【００２４】
(実施の形態２)
実施の形態２は前記図３に示す表示設定手段５２にマグネトロン３１の動作を禁止して回転アンテナ３２、３３を動作させるデモモード設定手段を兼ねさせた構成としたものである。
【００２５】
この構成により、店頭説明時に表示設定手段を５２を操作してデモモードを行えば、回転アンテナ３２、３３の動きに連動して照明手段１５からの光が移動するから加熱室底板１１ａの下側で回転アンテナ3２、３３が回転していることを容易に知らせることができ、この回転アンテナ３２、３３の動きによって均一加熱或は局所集中加熱を行っていることを使用者に容易に認識してもらうことができるようになる。
【００２６】
なお、上記各実施の形態において表示設定手段５２は加熱調理器の動作を設定する各種設定部(キーやつまみ)などとは別に設けたものを例にして説明したが、これら設定部のいずれかと兼用して構成し、通常の操作とは異なる特殊な操作をすることによって表示設定機能を発揮するようにしても良いものである。
【００２７】
また、本発明の加熱調理器は、前述した実施形態に限定されるものでなく、適宜な変形，改良等が可能である。
【産業上の利用可能性】
【００２８】
以上のように、本発明にかかる高周波加熱調理器は、回転アンテナの動きにあわせて照明手段が照射する位置が移動し、使用者に回転アンテナの動きを容易に認識してもらうことができるので、店頭時の説明で回転アンテナによる特徴を自由分に伝えることができるとともに、実調理中に表示設定手段を操作すれば被加熱物のどの部分を加熱しているのかを使用者が認識することができ、加熱していることを意識できて安心感を向上させることもできる。
【図面の簡単な説明】
【００２９】
【図１】本発明の実施形態にかかる高周波加熱調理器の斜視図
【図２】同調理器の内部を示す斜視図
【図３】同調理器の内部を示す断面図
【図４】同照射手段の取付部を示す断面図
【図５】同高周波放射部の一形態を示す斜視図
【符号の説明】
【００３０】
１０  高周波加熱調理器
１１  加熱室
１１ａ  底板（底面）
１５  照明手段
３１  マグネトロン
３２  第１回転アンテナ
３３  第２回転アンテナ
３２ａ、３３ａ  電波指向性の強い部位
４０  蒸気発生部
４１  蒸発皿
５０  制御手段
５２  表示設定手段
Ｍ  被加熱物
【図１】
2008256319.tif 000003
【図２】
2008256319.tif 000004
【図３】
2008256319.tif 000005
【図４】
2008256319.tif 000006
【図５】
2008256319.tif 000007